(57)【要約】【課題】  少なくとも３種以上のモードで動作できる撮影装置に具備されていずれか１つのモードを選択可能にするモード選択スイッチを具現することにおいて、ユーザのモード選択頻度数が考慮された撮影装置のモード選択スイッチを提供する。【解決手段】  第１、第２及び第３動作モードのうち選択されたいずれか１つの動作モードにより動作する撮影装置のモード選択スイッチは、一端選択頻度数が一番目で高い第１動作モードが配置されて、他端に選択頻度数が二番目で高い第２動作モードが配置されて、中端に選択頻度数が三番目で高い第３動作モードが配置されて表示されるモード表示部と、モード表示部に配置された第１、第２及び第３動作モードを配置された手順によって順次に指示することにより、前記第１動作モード、前記第２動作モード及び前記第３動作モードのうち指示されたいずれか１つに対する選択命令を入力するためのモード選択部とを含む。【選択図】      図２Ａ
2005260963.tif 000002
【特許請求の範囲】
【請求項１】
第１動作モード、第２動作モード及び第３動作モードのうち選択されたいずれか１つの動作モードにより動作する撮影装置のモード選択スイッチであって、
一端に選択頻度数の一番高い前記第１動作モードが配置され、他端に前記選択頻度数が二番目で高い前記第２動作モードが配置され、前記一端と前記他端との間に前記選択頻度数が三番目で高い前記第３動作モードが配置されて表示されるモード表示部と、
前記モード表示部に配置された前記第１動作モード、前記第２動作モード及び前記第３動作モードを配置された手順によって順次指示することにより、前記第１動作モード、前記第２動作モード及び前記第３動作モードのうち指示されたいずれか１つに対する選択命令を入力するためのモード選択部とを含むことを特徴とする撮影装置のモード選択スイッチ。
【請求項２】
前記モード選択部は、回転運動を通じて前記第１動作モード、前記第２動作モード及び前記第３動作モードのうちいずれか１つを順次指示できることを特徴とする請求項１記載の撮影装置のモード選択スイッチ。
【請求項３】
前記モード選択部は、直線運動を通じて前記第１動作モード、前記第２動作モード及び前記第３動作モードのうちいずれか１つを順次指示できることを特徴とする請求項１記載の撮影装置のモード選択スイッチ。
【請求項４】
前記モード選択部は、ユーザが前記撮影装置を把手した場合、把持した手の親指及び人差し指のうちいずれか１つで選択操作が可能な位置に備えられることを特徴とする請求項１記載の撮影装置のモード選択スイッチ。
【請求項５】
前記第１動作モードは、前記撮影装置に備えられた第１撮像部を通じて撮像された映像を前記撮影装置に備えられた記録媒体に記録するための第１撮影モードであり、
前記第２動作モードは、前記撮影装置に備えられた第２撮像部を通じて撮像された映像を前記記録媒体に記録するための第２撮影モードであることを特徴とする請求項１記載の撮影装置のモード選択スイッチ。
【請求項６】
前記第１撮像部は、動画を含む映像を撮像するＤＶＣ撮像部であり、
前記第２撮像部は、静止画を含む映像を撮像するＤＳＣ撮像部であることを特徴とする請求項５記載の撮影装置のモード選択スイッチ。
【請求項７】
前記第３動作モードは、前記記録媒体に記録された前記映像を前記撮影装置に備えられたディスプレー部に再生するための再生モード及び前記撮影装置の電源を遮断するためのパワーオフモードのうちいずれか１つであることを特徴とする請求項５記載の撮影装置のモード選択スイッチ。
【請求項８】
前記第１動作モードは、前記撮影装置に備えられた撮像部を通じて撮像された映像を前記撮影装置に備えられた記録媒体に記録するための撮影モードであり、
前記第２動作モードは、前記記録媒体に記録された前記映像を前記撮影装置に備えられたディスプレー部に再生するための再生モードであることを特徴とする請求項１記載の撮影装置のモード選択スイッチ。
【請求項９】
前記第３動作モードは、前記撮影装置の電源を遮断するためのパワーオフモードであることを特徴とする請求項８記載の撮影装置のモード選択スイッチ。
【請求項１０】
前記モード表示部には、前記第１動作モード、前記第２動作モード及び前記第３動作モードがメニュー画面で表示され、
前記モード選択部は、前記メニュー画面に表示された前記第１動作モード、前記第２動作モード及び前記第３動作モードを表示された手順によって順次指示するカーソルを移動させることにより、前記第１動作モード、前記第２動作モード及び前記第３動作モードのうち指示されたいずれか１つに対する選択命令を入力することを特徴とする請求項１記載の撮影装置のモード選択スイッチ。
【請求項１１】
前記モード選択部は、直線運動を通じて前記第１動作モード、前記第２動作モード及び前記第３動作モードのうちいずれか１つを順次指示できることを特徴とする請求項１０記載の撮影装置のモード選択スイッチ。
【請求項１２】
第１動作モード、第２動作モード及び第３動作モードのうち選択されたいずれか１つに動作する撮影装置のモード選択方法であって、
一端に選択頻度数の一番高い前記第１動作モードを配置するステップと、
他端に前記選択頻度数が二番目で高い前記第２動作モードを配置するステップと、
前記一端と前記他端との間に前記選択頻度数が三番目で高い前記第３動作モードを配置するステップと、
配置された前記第１動作モード、前記第２動作モード及び前記第３動作モードのうちいずれか１つに対する選択命令を入力するステップとを含むことを特徴とする撮影装置のモード選択方法。
【請求項１３】
前記選択命令入力ステップは、回転運動を通じて前記第１動作モード、前記第２動作モード及び前記第３動作モードのうちいずれか１つを順次指示することで前記選択命令を入力することを特徴とする請求項１２記載の撮影装置のモード選択方法。
【請求項１４】
前記選択命令入力ステップは、直線運動を通じて前記第１動作モード、前記第２動作モード及び前記第３動作モードのうちいずれか１つを順次指示することで前記選択命令を入力することを特徴とする請求項１２記載の撮影装置のモード選択方法。
【請求項１５】
前記選択命令入力ステップは、ユーザが前記撮影装置を把手した場合、把持した手の親指及び人差し指のうちいずれか１つで選択操作が可能な位置に備えられるスイッチを用いて前記選択命令を入力することを特徴とする請求項１２記載の撮影装置のモード選択方法。
【請求項１６】
前記第１動作モードは、前記撮影装置に備えられた第１撮像部を通じて撮像された映像を前記撮影装置に備えられた記録媒体に記録するための第１撮影モードであり、
前記第２動作モードは、前記撮影装置に備えられた第２撮像部を通じて撮像された映像を前記記録媒体に記録するための第２撮影モードであることを特徴とする請求項１２記載の撮影装置のモード選択方法。
【請求項１７】
前記第３動作モードは、前記撮影装置に備えられた記録媒体に記録された前記映像を前記撮影装置に備えられたディスプレー部に再生するための再生モード及び前記撮影装置の電源を遮断するためのパワーオフモードのうちいずれか１つであることを特徴とする請求項１２記載の撮影装置のモード選択方法。
【請求項１８】
前記第１動作モードは、前記撮影装置に備えられた撮像部を通じて撮像された映像を前記撮影装置に備えられた記録媒体に記録するための撮影モードであり、
前記第２動作モードは、前記記録媒体に記録された前記映像を前記撮影装置に備えられたディスプレー部に再生するための再生モードであり、
前記第３動作モードは、前記撮影装置の電源を遮断するためのパワーオフモードであることを特徴とする請求項１２記載の撮影装置のモード選択方法。
【請求項１９】
前記第１動作モード、前記第２動作モード及び前記第３動作モードをメニュー画面に表示するステップと、
前記メニュー画面に表示された前記第１動作モード、前記第２動作モード及び前記第３動作モードを表示された手順によって順次指示するカーソルを移動させることにより、前記第１動作モード、前記第２動作モード及び前記第３動作モードのうち指示されたいずれか１つに対する選択命令を入力するステップとを更に含むことを特徴とする請求項１２記載の撮影装置のモード選択方法。
【請求項２０】
前記選択命令入力ステップは、直線運動を通じて前記第１動作モード、前記第２動作モード及び前記第３動作モードのうちいずれか１つを順次指示することによって前記選択命令を入力することを特徴とする請求項１９記載の撮影装置のモード選択方法。
【発明の詳細な説明】
【技術分野】
【０００１】
本発明は、撮影装置のモード選択スイッチに関し、より詳しくは、撮影装置の動作モードを選択することに使われる撮影装置のモード選択スイッチに関する。
【背景技術】
【０００２】
デジタルスチールカメラ（ＤＳＣ）は、レンズを通じて入射される映像をデジタル信号に変換しメモリーカードのような記録媒体に保存する。しかし、このようなＤＳＣは映像を記録する記録媒体が低容量であるので、主に静止画を撮影することに使用する。即ち、一部の動画が撮影できる機能を有しているが、長時間の撮影は実質に不可能である。特に、動画を撮影して再生する時、音響を一緒に記録して再生する装置がないので実質的には動画を撮影し保存及び再生するには不適である。係る点を満たすため、テープのような記録媒体に撮影される被写体の映像及び音響などを記録及び再生する記録／再生装置、例えば、カムコーダ、即ち、デジタルビデオカムコーダ（ＤＶＣ）が広く普及されている。
【０００３】
ＤＶＣは、主に磁気テープを記録媒体とし、動画を長期間撮影できる。このようなＤＶＣも静止画を撮影する機能を持っているが、上述したＤＳＣに比べて画質が落ちるので、主に動画を撮影する。
【０００４】
現在までは、ＤＶＣとＤＳＣ各々の機能を活用するためには、二つの製品を全部購入しなければならなかったため、消費者にとっては経済的な負担が多かった。また、購入後にも各々の特徴的な機能があることで、二つの製品を携帯しなければならない、不具合があった。
【０００５】
このような問題点を解決するため、ＤＶＣとＤＳＣとを一つのケースに一体化した撮影装置が開発されている。
【０００６】
ＤＶＣとＤＳＣが一体化された撮影装置は、ＤＶＣとＤＳＣのうちいずれか１つを選択的に駆動させて撮影することができる。ＤＶＣとＤＳＣは選択的に駆動されるため、ＤＶＣで撮影してからＤＳＣで撮影しようとする場合は撮影装置の動作モードを変更しなければならない。そして、反対の場合も同様である。
【０００７】
このような動作モードの変更は撮影時に頻繁に行われる。したがって、ユーザが操作しやすい位置である撮影装置のケースに動作モード変更のためのモード選択スイッチを設置することが一般的である。この時、モード選択スイッチとしては器具的な多段スイッチが一般的に用いられる。
【０００８】
一方、動作モード選択スイッチは、撮影装置に記録された映像を再生させるための再生モードや撮影装置に供給される電源を遮断するためのパワーオフモードを選択するためにも利用される。
【０００９】
このように、撮影装置が多い（少なくとも３個以上）動作モードで動作可能な場合、希望する動作モードを選択するためにはユーザがモード選択スイッチに表示された動作モードを直接目で確認してから選択しなければならない。これによりユーザはスイッチの操作上においてその不便さを感じざるを得ない。
【００１０】
特に、ＤＶＣを利用して動画を撮影しているうち、重要な場面が発生してＤＳＣで静止画を撮影する必要がある場合、ユーザの目は撮影装置のビューファインダーやＬＣＤからモード選択スイッチに移動しなければならない。この過程で撮影装置に捕捉された被写体の像の位置が変動されることもある。
【００１１】
また、このような撮影装置にはＤＶＣとＤＳＣの機能が統合されているから、他の製品に比べて機能が多い。このような機能の中にはユーザがよく選択して使う機能がある一方、ほとんど使わない機能も多い。
【００１２】
このように、撮影装置に備えられた機能が膨大な場合には、よく使われる機能をユーザが易しく選択するようにする方案が求められる。これはユーザに機能が複雑で操作が難しい製品をより手軽く使うことができるようにするためである。
【発明の開示】
【発明が解決しようとする課題】
【００１３】
本発明は、上述したような従来技術の問題点を解決するためになされたもので、その目的は、少なくとも３種以上のモードで動作できる撮影装置に具備されいずれか１つのモードを選択可能にするモード選択スイッチを具現することにおいて、ユーザのモード選択頻度数を考慮した撮影装置のモード選択スイッチを提供することにある。
【課題を解決するための手段】
【００１４】
前記目的を達成するための本発明による撮影装置のモード選択スイッチは、第１動作モード、第２動作モード及び第３動作モードのうち選択されたいずれか１つの動作モードにより動作する撮影装置のモード選択スイッチは、一端に選択頻度数が一番高い前記第１動作モードが配置され、他端に前記選択頻度数が二番目で高い前記第２動作モードが配置され、前記一端と前記他端の間に前記選択頻度数が三番目で高い前記第３動作モードが配置されて表示されるモード表示部と、前記モード表示部に配置された前記第１動作モード、前記第２動作モード及び前記第３動作モードを配置された手順によって順次に指示することにより、前記第１動作モード、前記第２動作モード及び前記第３動作モードのうち指示されたいずれか１つに対する選択命令を入力するためのモード選択部とを含む。
【００１５】
また、前記モード選択部は、回転運動を通じて前記第１動作モード、前記第２動作モード及び前記第３動作モードのうちいずれか１つを順次に指示することができる。
【００１６】
また、前記モード選択部は、直線運動を通じて前記第１動作モード、前記第２動作モード及び前記第３動作モードのうちいずれか１つを順次に指示することができる。
【００１７】
好ましくは、前記モード選択部は、ユーザが前記撮影装置を手で把持した場合、把持した手の親指及び人差し指のうちいずれか１つで選択操作が可能な位置に具備される。
【００１８】
また、前記第１動作モードは、前記撮影装置に備えられた第１撮像部を通じて撮像された映像を前記撮影装置に備えられた記録媒体に記録するための第１撮影モードであり、前記第２動作モードは前記撮影装置に備えられた第２撮像部を通じて撮像された映像を前記記録媒体に記録するための第２撮影モードである。
【００１９】
また、前記第１撮像部は、動画を含む映像を撮像するＤＶＣ撮像部であり、前記第２撮像部は、静止画を含む映像を撮像するＤＳＣ撮像である。
【００２０】
また、前記第３動作モードは、前記記録媒体に記録された前記映像を前記撮影装置に備えられたディスプレー部に再生するための再生モード及び前記撮影装置の電源を遮断するためのパワーオフモードのうちいずれか１つである。
【００２１】
また、前記第１動作モードは、前記撮影装置に備えられた撮像部を通じて撮像された映像を前記撮影装置に備えられた記録媒体に記録するための撮影モードであり、前記第２動作モードは、前記記録媒体に記録された前記映像を前記撮影装置に備えられたディスプレー部に再生するための再生モードである。
【００２２】
また、前記第３動作モードは、前記撮影装置の電源を遮断するためのパワーオフモードである。
【００２３】
また、前記モード表示部には、前記第１動作モード、前記第２動作モード及び前記第３動作モードがメニュー画面で表示され、前記モード選択部は、前記メニュー画面に表示された前記第１動作モード、前記第２動作モード及び前記第３動作モードを表示された手順によって順次に指示するカーソルを移動させることにより、前記第１動作モード、前記第２動作モード及び前記第３動作モードのうち指示されたいずれか１つの動作モードに対する選択命令を入力することができる。
【００２４】
さらに、前記モード選択部は、直線運動を通じて前記第１動作モード、前記第２動作モード及び前記第３動作モードのうちいずれか１つを順次指示できることが好ましい。
【００２５】
一方、本発明に係る第１動作モード、第２動作モード及び第３動作モードのうち選択されたいずれか１つに動作する撮影装置のモード選択方法は、一端に選択頻度数の一番高い前記第１動作モードを配置するステップと、他端に前記選択頻度数が二番目で高い前記第２動作モードを配置するステップと、前記一端と前記他端との間に前記選択頻度数が三番目で高い前記第３動作モードを配置するステップと、配置された前記第１動作モード、前記第２動作モード及び前記第３動作モードのうちいずれか１つに対する選択命令を入力するステップとを含む。
【００２６】
そして、前記選択命令入力ステップは、回転運動を通じて前記第１動作モード、前記第２動作モード及び前記第３動作モードのうちいずれか１つを順次指示することで前記選択命令を入力することができる。
【００２７】
また、前記選択命令入力ステップは、直線運動を通じて前記第１動作モード、前記第２動作モード及び前記第３動作モードのうちいずれか１つを順次指示することで前記選択命令を入力することができる。
【００２８】
また、前記選択命令入力ステップは、ユーザが前記撮影装置を把手した場合、把持した手の親指及び人差し指のうちいずれか１つで選択操作が可能な位置に備えられるスイッチを用いて前記選択命令を入力することが好ましい。
【００２９】
さらに、前記第１動作モードは、前記撮影装置に備えられた第１撮像部を通じて撮像された映像を前記撮影装置に備えられた記録媒体に記録するための第１撮影モードであり、前記第２動作モードは、前記撮影装置に備えられた第２撮像部を通じて撮像された映像を前記記録媒体に記録するための第２撮影モードであり得る。
【００３０】
そして、前記第３動作モードは、前記撮影装置に備えられた記録媒体に記録された前記映像を前記撮影装置に備えられたディスプレー部に再生するための再生モード及び前記撮影装置の電源を遮断するためのパワーオフモードのうちいずれか１つであることが好ましい。
【００３１】
また、前記第１動作モードは、前記撮影装置に備えられた撮像部を通じて撮像された映像を前記撮影装置に備えられた記録媒体に記録するための撮影モードであり、前記第２動作モードは、前記記録媒体に記録された前記映像を前記撮影装置に備えられたディスプレー部に再生するための再生モードであり、前記第３動作モードは、前記撮影装置の電源を遮断するためのパワーオフモードであり得る。
【００３２】
そして、本撮影装置のモード選択方法は前記第１動作モード、前記第２動作モード及び前記第３動作モードをメニュー画面に表示するステップと、前記メニュー画面に表示された前記第１動作モード、前記第２動作モード及び前記第３動作モードを表示された手順によって順次指示するカーソルを移動させることにより、前記第１動作モード、前記第２動作モード及び前記第３動作モードのうち指示されたいずれか１つに対する選択命令を入力するステップとを更に含むことができる。
【００３３】
さらに、前記選択命令入力ステップは、直線運動を通じて前記第１動作モード、前記第２動作モード及び前記第３動作モードのうちいずれか１つを順次指示することによって前記選択命令を入力することが好ましい。
【発明の効果】
【００３４】
本発明によると、少なくとも３種以上のモードで動作することができる撮影装置のモード選択スイッチを具現する場合に、ユーザのモード選択頻度数が考慮されるため、ユーザは頻繁に使われるモードをより手軽く選択できる。特に、ユーザはモード選択スイッチを直接見なくてモードを変更することができるので、その操作上便利になる。
【発明を実施するための最良の形態】
【００３５】
以下、添付の図面を参照して本発明の好ましい実施形態について詳しく説明する。
【実施例】
【００３６】
図１は、本発明が適用可能な撮影装置のブロック図である。図１に示されるように、撮影装置は、ＤＶＣ撮像部１１０、ＤＶＣ信号処理部１２０、ＤＳＣ撮像部１３０、ＤＳＣ信号処理部１４０、ＤＳＣ  ＣＯＤＥＣ１４５、マイク１５０、映像信号処理部１６０、ディスプレー部１７０、ＶＣＲ部１８０、メモリーカード１９０、ＰＣインターフェース部２００、制御部２１０、操作部２２０、フラッシュメモリー２３０及びシステムバス２４０を備えてなる。
【００３７】
ＤＶＣ撮像部１１０は、レンズを通じて入射される光信号を電気信号に光電変換し、変換された信号に対して所定の信号処理を実行する。ＤＶＣ撮像部１１０は、動画と静止画を全部撮像可能である。しかし、ＤＶＣ撮像部１１０で撮像した静止画は、後述するＤＳＣ撮像部１３０で撮像した静止画に比べて画質が非常に落ちる。したがって、ＤＶＣ撮像部１１０は、主に動画を撮像するに使われる。
【００３８】
ＤＶＣ撮像部１１０は、ＤＶＣレンズ部１１１、ＤＶＣレンズ駆動部１１３、ＤＶＣ  ＣＣＤ１１５及びＤＶＣ  ＣＤＳ／ＡＧＣ／ＡＤＣ（Ｃｏｒｒｅｌａｔｅｄ  Ｄｏｕｂｌｅ  Ｓａｍｐｌｅｒ／Ａｕｔｏ  Ｇａｉｎ  Ｃｏｎｔｒｏｌｌｅｒ／Ａｎａｌａｏｇ−ｔｏ−Ｄｉｇｉｔａｌ  ｃｏｎｖｅｒｔｅｒ）１１７を具備する。
【００３９】
ＤＶＣレンズ駆動部１１３は、制御部２１０の制御によってＤＶＣレンズ部１１１を駆動させる。具体的に、ＤＶＣレンズ駆動部１１３は、制御部２１０の制御によってＤＶＣレンズ部１１１をズーム−イン／ズーム−アウトさせ焦点を自動に調節し、ＤＶＣレンズ部１１１に備えられた絞り（図示せず）の開閉量を調節する。
【００４０】
ＤＶＣ  ＣＣＤ１１５は、ＤＶＣレンズ部１１１を通じて入射される光学像を電気信号に変換させて出力する。即ち、被写体の光学像は、ＤＶＣレンズ部１１１によりＤＶＣ  ＣＣＤ１１５の光学面上に結像され、ＤＶＣ  ＣＣＤ１１５は、感光面上に結像された光学像を電気信号に変えて水平と垂直の走査により１次元の電気信号の形態で出力する。
【００４１】
ＤＶＣ  ＣＤＳ／ＡＧＣ／ＡＤＣ１１７は、ＣＤＳを使ってＤＶＣ  ＣＣＤ１１５から出力される信号でノイズを除去し、ＡＧＣ（自動利得制御部）を使って信号のレベルが一定に維持されるように利得を調整し、ＡＤＣを使ってデジタル信号に変換する。
【００４２】
ＤＶＣ信号処理部１２０は、ＤＶＣ撮像部１１０から印加された信号に対して所定の信号処理を実行し映像信号処理部１６０に印加する。具体的に、ＤＶＣ信号処理部１２０は、印加される信号を輝度（Ｙ）信号とクロマ（Ｃ）信号で分離し、利得調整、輪郭補正及びＡＷＢ（自動白バランス）などを実行して解像度を変更する。
【００４３】
マイク１５０は、外部から入力される音響信号を電気信号に変換して映像信号処理部１６０に出力する。映像信号処理部１６０は、ＤＶＣ信号処理部１２０で信号処理された映像信号をディスプレー部１７０に印加する。
【００４４】
この時、映像信号処理部１６０は、操作部２２０を通じて入力されたユーザの‘撮影命令’を制御部２１０か伝送されれば、ＤＶＣ信号処理部１２０の出力信号をＤＶフォーマット信号で圧縮する。
【００４５】
また、映像信号処理部１６０は、マイク１５０の出力信号をデジタル信号に変換し、変換された信号をＰＣＭフォーマット信号で圧縮する。その後、映像信号処理部１６０は、記録対象になる圧縮された信号を制御部２１０の制御によってＶＣＲ部１８０に印加する。
【００４６】
一方、撮影装置が‘ＶＣＲ再生’モードで動作する場合、映像信号処理部１６０は、制御部２１０の制御によって再生対象になる圧縮された映像信号をＶＣＲ部１８０から印加される。そして、映像信号処理部１６０は、印加された圧縮の映像信号を伸張してディスプレー部１７０に印加する。
【００４７】
ＤＳＣ撮像部１３０は、レンズを通じて入射される光信号を電気信号に光電変換し、変換された信号に対して所定の信号処理過程を実行する。ＤＳＣ撮像部１３０は、動画と静止画を全部撮像可能である。しかし、ＤＳＣ撮像部１３０に撮像した動画のデータ容量は上述したＤＶＣ撮像部１１０で撮像した動画のデータ容量より一層大きい。その結果、動画データを記録媒体に記録する時に多い保存空間が必要となるので、長時間の動画撮影が不可能である。したがって、ＤＳＣ撮像部１３０は、主に静止画を撮像することに使われる。
【００４８】
ＤＳＣ撮像部１３０は、ＤＳＣレンズ部１３１、ＤＳＣレンズ駆動部１３３、ＤＳＣ  ＣＣＤ１３５及びＤＳＣ  ＣＤＳ／ＡＧＣ／ＡＤＣ１３７を具備する。
【００４９】
ＤＳＣレンズ駆動部１３３は、制御部２１０の制御によってＤＳＣレンズ部１３１を駆動させる。具体的に、ＤＳＣレンズ駆動部１３３は、制御部２１０の制御によってＤＳＣレンズ部１３１をズーム−イン／ズーム−アウトさせて焦点を自動的で調節し、ＤＳＣレンズ部１３１に備えられた絞り（図示せず）の開閉量を調節する。
【００５０】
ＤＳＣ  ＣＣＤ１３５は、ＤＳＣレンズ部１３１を通じて入射される光学像を電気信号に変換させて出力する。
【００５１】
ＤＳＣ  ＣＤＳ／ＡＧＣ／ＡＤＣ１３７は、ＣＤＳを使ってＤＳＣ  ＣＣＤ１３５から出力される信号でノイズを除去して、ＡＧＣを使って信号のレベルが一定に維持されるように利得を調整し、ＡＤＣを使ってデジタル信号に変換する。
【００５２】
ＤＳＣ信号処理部１４０は、ＤＳＣ撮像部１３０から印加された信号に対して所定の信号処理を実行する。具体的に、ＤＳＣ信号処理部１４０は、印加される信号を輝度（Ｙ）信号とクロミノンス（Ｃ）信号で分離し、利得調整、輪郭補正及びＡＷＢなどを実行して解像度を変更する。
【００５３】
ＤＳＣ  ＣＯＤＥＣ１４５は、ＤＳＣ信号処理部１４０で信号処理された映像信号をディスプレー部１７０に印加する。この時、ＤＳＣ  ＣＯＤＥＣ１４５は、操作部２２０を通じて入力されたユーザの‘撮影命令’が制御部２１０から伝達されると、ＤＳＣ信号処理部１４０の出力信号をＪＰＥＧフォーマットの信号で圧縮する。そして、圧縮された信号を制御部２１０の制御によってメモリーカード１９０に記録する。
【００５４】
一方、撮影装置が‘メモリーカード再生’モードで動作する場合、ＤＳＣ  ＣＯＤＥＣ１４５は、制御部２１０の制御によって再生対象になる圧縮された映像信号をメモリーカード１９０から印加される。そして、ＤＳＣ  ＣＯＤＥＣ１４５は、印加された圧縮された映像信号を伸張してディスプレー部１７０に印加する。
【００５５】
ディスプレー部１７０は、映像信号処理部１６０とＤＳＣ  ＣＯＤＥＣ１４５から出力される映像をディスプレーする。このような機能を実行するディスプレー部１７０は、ＯＳＤ（オンスクリーンディスプレイ）部１７１、ＮＴＳＣ／ＰＡＬエンコーダー１７３及びＬＣＤ（液晶表示）１７５を具備する。
【００５６】
ＯＳＤ部１７１には、ＯＳＤ文字とＧＵＩ（Ｇｒａｐｈｉｃ  Ｕｓｅｒ  Ｉｎｔｅｒｆａｃｅ）環境の構築に必要なメニュー画面のようなＧＵＩデータなどが保存される。そして、ＯＳＤ部１７１は、制御部２１０の制御によって映像信号処理部１６０とＤＳＣ  ＣＯＤＥＣ１４５から出力される映像にＯＳＤ文字やＧＵＩデータを組み合わせることができる。
【００５７】
ＮＴＳＣ／ＰＡＬエンコーダー１７３は、ＯＳＤ部１７１から出力される映像信号をＮＴＳＣ方式やＰＡＬ方式の映像信号に変換してＬＣＤ１７５と外部装置であるＴＶに印加する。
【００５８】
ＬＣＤ１７５は、ＮＴＳＣ／ＰＡＬエンコーダー２４１から印加された映像が表示されるディスプレー装置である。
【００５９】
ＶＣＲ部１８０は、映像信号処理部１６０から出力される映像信号を記録するか、記録された映像信号を読み出して映像信号処理部１６０に印加する。ＶＣＲ部１８０は、ＶＣＲデッキ部１８１とＶＣＲテープ１８３を具備する。
【００６０】
ＶＣＲテープ１８３は、映像信号が記録される磁気記録媒体として、ＶＣＲデッキ部１８１に結合及び分離可能である。
【００６１】
ＶＣＲデッキ部１８１は、映像信号処理部１６０から印加された映像信号をＶＣＲテープ１８３に記録するか、ＶＣＲテープ１８３に記録された映像信号を読み出して映像信号処理部１６０に印加する。
【００６２】
メモリーカード１９０は、ＤＳＣ  ＣＯＤＥＣ１４５から印加された映像信号が記録される記録媒体として、撮影装置に結合及び分離可能である。
【００６３】
ＰＣインターフェース部２００は、外部装置であるＰＣまたはプリンターとインタフェージングを実行する。
【００６４】
制御部２１０は、操作部２２０を通じて入力されるユーザの操作命令によって撮影装置の全般的な動作を制御する。特に、制御部２１０はユーザの設定によってＤＶＣ撮像部１１０とＤＳＣ撮像部１３０のうちいずれか１つにより撮像動作が行われるよう制御する。制御部２１０は、主制御部２１１及びＤＳＣ制御部２１３を具備する。
【００６５】
主制御部２１１は、操作部２２０を通じてユーザの操作命令の入力を受けて、それによってＤＶＣレンズ駆動部１１３、ＤＶＣ信号処理部１２０、映像信号処理部１６０、ＯＳＤ部１７１、ＶＣＲデッキ部１８１及びＰＣインターフェース部２００の動作を制御する。そして、主制御部２１１はＤＳＣ制御部２１３の制御動作を制御する。
【００６６】
ＤＳＣ制御部２１３は、主制御部２１１の制御によってＤＳＣレンズ駆動部１３３、ＤＳＣ信号処理部１４０、ＤＳＣ  ＣＯＤＥＣ１４５の動作を制御する。
【００６７】
フラッシュメモリー２３０には、主制御部２１１で必要とする起動プログラムなどの装置動作に必要なシステムプログラム及び電源が消えても保存される必要性のある重要なデータと応用プログラムなどが保存される。
【００６８】
操作部２２０は、撮影装置の機能選択及び動作制御と関連した操作命令の入力を受けるためのユーザインターフェース装置である。操作部２２０には、撮影装置の動作モードを選択するためのモード選択スイッチ２２５が具備される。
【００６９】
以下、モード選択スイッチ２２５に対して詳しく説明する。
【００７０】
モード選択スイッチ２２５は、操作部２２０に具備される操作ボタンの中でよく使われる操作ボタンに該当するため、ユーザが便利に操作する位置に具備しなければならない。具体的に、ユーザが撮影装置を一手で把持した場合、把持した手の親指や人差し指で選択操作が可能な位置に具備すると、ユーザの操作上の便利が図れる。
【００７１】
撮影装置は、少なくとも４種の動作モードで動作が可能である。４種の動作モードとは、ｉ）ＤＶＣ撮像部１１０で撮像した映像を記録する‘ＤＶＣ撮影’モード、ｉｉ）ＤＳＣ撮像部１３０で撮像した映像を記録する‘ＤＳＣ撮影’モード、ｉｉｉ）ＶＣＲ部１８０に記録された映像を再生する‘再生’モード、ｉｖ）撮影装置の電源を遮断する‘ＯＦＦ’モードである。
【００７２】
したがって、モード選択スイッチ２２５は、上述した４種の動作モードのうちいずれか１つを選択するよう具現される必要がある。
【００７３】
図２Ａ及び図２Ｂは、本発明の第１実施形態に係る撮影装置のモード選択スイッチ２２５を示す図である。図２Ａを参照すると、モード選択スイッチ２２５は、回転型多段スイッチで具現された。モード選択スイッチ２２５は、モード表示部２２５ａとモード選択部２２５ｂを具備する。
【００７４】
モード表示部２２５ａは、ユーザがモード選択スイッチ２２５をスイッチング操作する時に参照する一種の動作モード案内表示である。モード表示部２２５ａには選択可能な動作モードが配置され表示される。
【００７５】
上述のように撮影装置は４種の動作モード（‘ＤＶＣ撮影’モード、‘ＤＳＣ撮影’モード、‘再生’モード、‘ＯＦＦ’モード）のうちいずれか１つの動作モードにより動作される。したがって、モード表示部２２５ａには上述した４種の動作モードが配置される。
【００７６】
モード選択部２２５ｂは、ユーザの操作により‘Ｘ’軸を中心に‘Ａ’方向や‘Ｂ’方向へ回転する。モード選択部２２５ｂは、回転運動しながらモード表示部２２５ａに配置された４種の動作モードのうちいずれか１つを順次に指示するようになる（図２Ａではモード選択部２２５ｂが‘ＯＦＦ’モードを指示している）。
【００７７】
モード選択部２２５ｂは、その回転された角度によって各々相違しているモード選択命令信号を主制御部２１１に出力する。主制御部２１１は、モード選択部２２５ｂから受信したモード選択命令信号に対応する動作モードで撮影装置が動作するように制御する。
【００７８】
即ち、ユーザがモード選択部２２５ｂを回転させてモード表示部２２５ａに配置している動作モードのうちいずれか１つを指示するように位置させると、撮影装置は指示された動作モードで動作する。
【００７９】
一方、モード表示部２２５ａに４種の動作モードを配置することにおいては、ユーザの動作モード選択頻度数が考慮される。即ち、選択頻度数が高い動作モードはユーザが選択しやすい位置に配置される。
【００８０】
撮影装置では、上述の４種の動作モードのうち‘ＤＶＣ撮影’モードと‘ＤＳＣ撮影’モードが一番頻繁に選択されることが一般的であるので、‘ＤＶＣ撮影’モードと‘ＤＳＣ撮影’モードは残り２個の動作モードより選択頻度数が高い。したがって、‘ＤＶＣ撮影’モードと‘ＤＳＣ撮影’モードはユーザが選択しやすい位置に配置する必要がある。
【００８１】
図２Ａに示されるように、回転型多段スイッチで具現されたモード選択スイッチ部２２５ｂの場合は、モード表示部２２５ａの最上段と最下段がユーザが選択する一番便利な位置になる。その理由は次のようである。
【００８２】
モード選択部２２５ｂがモード表示部２２５ａの最上段を指示するようにするためには、ユーザはモード選択部２２５ｂを‘Ｂ’方向へ押す。ユーザがモード選択部２２５ｂを‘Ｂ’方向へ押すと、モード選択部２２５ｂはそれによって回転してモード表示部２２５ａの最上端を指示する位置に到逹すれば停止してその以上は回転しない。
【００８３】
一方、モード選択部２２５ｂがモード表示部２２５ａの最下端を指示するようにするためには、ユーザはモード選択部２２５ｂを‘Ａ’方向へ押す。モード選択部２２５ｂはモード表示部２２５ａの最下端を指示する位置に到逹すれば停止してその以上は回転しない。
【００８４】
上述のように、モード選択部２２５ｂはモード表示部２２５ａの最上段や最下段を指示するようになると、その以上は回転しないで停止する。したがって、モード表示部２２５ａの最上段や最下段に配置された動作モードはユーザが選択しやすい位置になるのである。
【００８５】
もし、モード表示部２２５ａの最上段と最下段の間に位置した中端に配置された動作モード（図２では、‘再生’、‘ＯＦＦ’）を選択するためには、まず、選択対象である動作モードが配置された位置を直接に目で確認しなければならない。そして、その位置をモード選択部２２５ｂが指示するように回転させるためには、これを単純に押して回転させることではなく適切に力を調節して押さなければならない。したがって、モード表示部２２５ａの中端に配置された動作モードを選択する操作は最上段や最下段に配置された動作モードを選択する操作より煩わしくて注意が要求される。
【００８６】
このような理由で、図２Ａに示されたモード選択スイッチ２２５では、選択頻度数が高い‘ＤＶＣ撮影’モードと‘ＤＳＣ撮影’モードが各々モード表示部２２５ａの最上端と最下端に配置された。
【００８７】
一方、‘ＤＶＣ撮影’モードと‘ＤＳＣ撮影’モードの配置を逆にしてもユーザは選択操作時にあまり不便を感じない。したがって、図２Ｂに図示されるように、‘ＤＳＣ撮影’モードをモード表示部２２５ａの最上段に配置して、‘ＤＶＣ撮影’モードをモード表示部２２５ａの最下段に配置してモード選択スイッチ２２５を具現することも可能である。
【００８８】
図３は、本発明の第２実施形態による撮影装置のモード選択スイッチ２２５を示す図である。図３を参照すると、モード選択スイッチ２２５が直線型の多段スイッチで具現されている。
【００８９】
モード選択部２２５ｂは、ユーザの操作により‘Ｃ’方向や‘Ｄ’方向へ直線移動しながらモード表示部２２５ａに配置された４種の動作モードのうちいずれか１つを順次に指示するようになる（図３では、モード選択部２２５ｂが‘再生’モードを指示している）。
【００９０】
直線型多段スイッチで具現されたモード選択スイッチ２２５の場合は、モード表示部２２５ａの左側段と右側段がユーザが選択する一番便利な位置になる。
【００９１】
モード選択部２２５ｂがモード表示部２２５ａの左側段を指示するようにするためには、モード選択部２２５ｂを‘Ｃ’方向へ押すことで十分である。また、モード選択部２２５ｂがモード表示部２２５ａの右側段を指示するようにするためには、モード選択部２２５ｂを‘Ｄ’方向へ押す。このようにすると、モード選択部２２５ｂは、移動してモード表示部２２５ａの左側段／右側段を指示する位置に到逹すると停止してその以上は移動しないからである。
【００９２】
このような理由で、図３に示されたモード選択スイッチ２２５では、選択頻度数が高い‘ＤＶＣ撮影’モードと‘ＤＳＣ撮影’モードが各々モード表示部２２５ａの左側段と右側段に配置された。
【００９３】
一方、‘ＤＶＣ撮影’モードと‘ＤＳＣ撮影’モードの位置を変えて配置することも可能である。
【００９４】
以下、説明する第３実施形態は、第１実施形態、第２実施形態と基本的な概念は同一であるが、選択可能な動作モードがメニュー画面に表示される点が違う。
【００９５】
図４Ａ及び図４Ｂは、本発明の第３実施形態によるメニュー画面とメニューダイヤルを利用して具現した撮影装置のモード選択スイッチの説明に提供される図である。
【００９６】
図４Ａには、主制御部２１１の制御によりＯＳＤ部１７１から提供されるモード選択メニュー画面を示した。図示されたメニュー画面で動作モードは各々‘ＤＶＣ撮影’メニュー、‘再生’メニュー、‘ＯＦＦ’メニュー、‘ＤＳＣ撮影’メニューで表示され、表示されたメニューのうちいずれか１つにカーソルが表示される。ユーザはメニュー画面に表示されたカーソルを移動させていずれか１つのメニューに位置させて、カーソルが位置したメニューを選択することができる。そのようにすると、撮影装置はユーザにより選択されたメニューに対応する動作モードで動作するようになる。
【００９７】
図４Ｂには、メニュー画面上に表示されたカーソルの位置を特定メニューに移動させてカーソルが位置したメニューを選択するためのメニューダイヤルが図示されている。
【００９８】
具体的に、メニューダイヤルを‘Ｅ’方向へ押すと、メニュー画面に表示されたカーソルが上側へ移動し、メニューダイヤルを‘Ｆ’方向へ押すと、メニュー画面に表示されたカーソルが下側へ移動する。そして、メニューダイヤルを押すと、カーソルが位置したメニューに対応する動作モードが実行される。
【００９９】
ユーザが図４Ｂに示されたメニューダイヤルを利用して図４Ａに示されたメニュー画面上でカーソルを表示されたメニューのうちいずれか１つに位置させる必要がある場合、ユーザがカーソルを位置させる一番楽なメニューはメニュー画面の最上段または最下段に表示されたメニューである。
【０１００】
これは、ユーザがメニューダイヤルを‘Ｅ’方向や‘Ｆ’方向へ押していると、カーソルが最上段や最下段に表示されたメニューに移動して停止するからである。
【０１０１】
このような理由で、図４Ａに示されたメニュー画面には選択頻度数が高い‘ＤＶＣ撮影’メニューと‘ＤＳＣ撮影’メニューが各々メニュー画面の最上段と最下段に配置された。
【０１０２】
一方、‘ＤＶＣ撮影’モードと‘ＤＳＣ撮影’モードの位置を変えて配置することも可能であることは勿論である。また、メニュー画面にメニューが垂直方向ではない水平方向に配列される場合には、メニュー画面の左側段と右側段に‘ＤＶＣ撮影’モードと‘ＤＳＣ撮影’モードを配置することが好ましい。
【０１０３】
一方、本実施形態では、撮影装置の動作モードのうち‘ＤＶＣ撮影’モード、‘ＤＳＣ撮影’モードの頻度数が一番高いことで仮定してそれによって説明を展開した。しかし、これは説明の便宜のためのことであるだけで、必ずそのようであることではない。したがって、‘ＤＶＣ撮影’モードと‘再生’モードの使用頻度数が一番高い場合では、そのモードを最上段／最下段または左側段／右側段に配置する必要がある。
【０１０４】
また、本実施形態では、撮影装置の動作モードとして‘ＤＶＣ撮影’モード、‘ＤＳＣ撮影’モード、‘再生’モード、‘ＯＦＦ’モードの４種を言及した。しかし、ここで言及された動作モードは例示に過ぎないのである。したがって、撮影装置は言及された動作モード以外の動作モードで動作することも可能である。そして、動作モードの個数は必ず４個に限定される必要はなく３個以上であれば関係ない。
【０１０５】
一方、本実施形態では、制御部２１０が主制御部２１１とＤＳＣ制御部２１３を具備して、各制御部の役割が分担されたことで図示して説明した。しかし、これは一例に過ぎないので、制御部２１０の分割なく一つの制御部が撮影装置の全般的な動作を制御するように具現することも可能であることは勿論である。
【０１０６】
以下、撮影装置のモード選択方法について、図５に基づいて詳説する。図５は本発明の第４の実施形態にかかる、撮影装置のモード選択方法を説明するためのフローチャートである。
【０１０７】
本実施形態において、「選択頻度数が一番高い動作モード」を「第１動作モード」に、「選択頻度数が２番目で高い動作モード」を「第２動作モード」に、選択頻度数が３番目に高い動作モード」を「第３動作モード」に想定する。
【０１０８】
同図に示したように、まず、モード表示部２２５ａの一端に第１動作モードを配置し（Ｓ３１０）、モード表示部２２５ａの他端に第２動作モードを配置し（Ｓ３２０）、モード表示部２２５ａの一端と他端との間には第３動作モードを配置する（Ｓ３３０）。
【０１０９】
その後、モード選択部２２５ｂを用いて、配置されている第１、第２及び第３動作モードのうちいずれかに対する選択命令を入力する（Ｓ３４０）。
【０１１０】
Ｓ３４０にて、回転運動または直線運動を通じて第１、第２、第３動作モードのいずれか１つを順次指示するモード選択部２２５ｂが用いられる。
【０１１１】
そして、Ｓ３４０にて利用されるモード選択部２２５ｂは、ユーザが前記撮影装置を把手した場合、把持した手の親指及び人差し指のうちいずれか１つで選択操作が可能な位置に備えられることが好ましい。
【０１１２】
さらに、Ｓ３１０ないしＳ３３０にては、それぞれ第１、第２、第３動作モードがメニュー画面に表示されるように具現することができる。なお、Ｓ３４０にて、メニュー画面に表示される第１、第２、第３動作モードを表示された順番によって順次指示するカーソルを移動させることによって、選択命令を入力することで具現される。
【０１１３】
以上、本発明の好適な実施の形態について添付の図面に基づいて詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【産業上の利用可能性】
【０１１４】
本発明は、撮影装置のモード選択スイッチに関し、より詳しくは、撮影装置の動作モードを選択することに使われる撮影装置のモード選択スイッチに関する。
【図面の簡単な説明】
【０１１５】
【図１】本発明が適用可能な撮影装置のブロック図である。
【図２Ａ】本発明の第１実施形態に係る撮影装置のモード選択スイッチを示した図である。
【図２Ｂ】本発明の第１実施形態に係る撮影装置のモード選択スイッチを示した図である。
【図３】本発明の第２実施形態に係る撮影装置のモード選択スイッチを示した図である。
【図４Ａ】本発明の第３実施形態によるメニュー画面とメニューダイヤルを利用して具現した撮影装置のモード選択スイッチの説明に提供される図である。
【図４Ｂ】本発明の第３実施形態によるメニュー画面とメニューダイヤルを利用して具現した撮影装置のモード選択スイッチの説明に提供される図である。
【図５】本発明の第４の実施形態に係る、撮影装置のモード選択方法を説明するためのフローチャートである。
【符号の説明】
【０１１６】
１１０    ＤＶＣ撮像部
１３０    ＤＳＣ撮像部
１７０    ディスプレー部
１７５    ＬＣＤ
２１０    制御部
２１１    主制御部
２２０    操作部
２２５    モード選択スイッチ
２２５ａ  モード表示部
２２５ｂ  モード選択部
【図１】
2005260963.tif 000003
【図２Ａ】
2005260963.tif 000004
【図２Ｂ】
2005260963.tif 000005
【図３】
2005260963.tif 000006
【図４Ａ】
2005260963.tif 000007
【図４Ｂ】
2005260963.tif 000008
【図５】
2005260963.tif 000009